(57)【要約】【課題】オペレータが立ち上げたいチャンネルに、手元の操作のみで回線選択を行うことにより、優れた操作性を獲得すると共に、セッティング作業の効率化向上に寄与する音声入力切替装置を提供する。【解決手段】音量を調整する音量調整モードと入力素材を選択する素材選択モードを切替えるモード切替部１１と、このモード切替部１１が音量調整モードであるとき音量を調整するフェーダ７が設けられている。また、フェーダ７にはフェーダ７の位置を検出する位置検出部１２と、素材判断処理部１３が接続されている。素材判断処理部１３は、フェーダ７の移動した位置に応じて選択する入力素材を予め割り当てておき、モード切替部１１が素材選択モードであるとき、位置検出部１２にて検出したフェーダ７の位置に対応した入力素材を選択するようになっている。【選択図】図１
2007259251.tif 000002
【特許請求の範囲】
【請求項１】
複数の音声素材を入力する入力マトリクスに接続され、前記入力マトリクスにおける入力素材を選択する音声入力切替装置において、
音量を調整する音量調整モードと入力素材を選択する素材選択モードを切替えるモード切替部と、
前記モード切替部が前記音量調整モードであるとき音量を調整するフェーダと、
前記フェーダの位置を検出する位置検出部と、
前記フェーダの移動した位置に応じて選択する前記入力素材を割り当てておき、前記モード切替部が前記素材選択モードであるとき前記位置検出部にて検出した前記フェーダの位置に対応した前記入力素材を選択する素材判断処理部が設けられたことを特徴とする音声入力切替装置。
【請求項２】
前記素材判断処理部にて選択された前記入力素材の名称を表示する入力素材表示部が設けられたことを特徴とする請求項１に記載の音声入力切替装置。
【請求項３】
前記モード切替部が前記素材選択モードであるとき前記素材判断処理部にて選択された前記入力素材に対応する位置まで前記フェーダを移動させる前記フェーダ駆動部が設けられたことを特徴とする請求項１又は２に記載の音声入力切替装置。
【請求項４】
前記素材判断処理部にて選択された前記入力素材の音量プリレベルを表示するプリレベルメータが設置されたことを特徴とする請求項１〜３のいずれか１項に音声入力切替装置。
【請求項５】
前記モード切替部は、前記素材選択モードとなった後、一定時間経過すると自動的に前記音量調整モードに戻るように構成されたことを特徴とする請求項１〜４のいずれか１項に記載の音声入力切替装置。
【請求項６】
前記入力素材を選択するためのコントローラが前記音声入力切替装置とは独立して設けられ、
前記モード切替部によるモード切替時に、選択した入力素材を設定値として前記コントローラ側に送信する設定値送信手段が設けられたことを特徴とする請求項１〜５のいずれか１項に記載の音声入力切替装置。
【発明の詳細な説明】
【技術分野】
【０００１】
本発明は、放送スタジオ等で使用される音声調整卓に適用されるものであって、入力マトリクスにおける入力素材を選択する音声入力切替装置に関するものである。
【背景技術】
【０００２】
放送スタジオやレコーディングスタジオ等には、入力した音声素材の音量や音質を調整するための音声調整卓（オーディオミキサー）が設置されている。図３に示すように、音声調整卓１には、マイクや音声ソース等から複数の音声素材を入力する入力マトリクス２に接続されている。また、入力マトリクス２には入力素材を選択するためのコントローラ３と、コントローラ３にて選択された入力素材に対し所定の音声処理を施す音声処理部４が接続されている。さらに、音声処理部４には入力素材の音量を調整するフェーダ５が接続されている。
【０００３】
このような音声調整卓１は放送分野や音楽制作分野において不可欠な装置であるが、入力素材数が多く処理内容も多岐に渡るため、確実に操作することが重要である。また、重大な事故を回避すべく人為的なミスを極力抑える必要がある。したがって、音声調整卓１１には優れた操作環境が求められている。
【０００４】
例えば、特許文献１記載の従来技術では、複数の音声素材の中から所望の入力素材を選択してこれを調整・合成する場合、音声信号調整手段に入力素材を出力するよりも前に、音声信号の切替手段を設けて、モニタスピーカに前記入力素材を出力して検聴できるようにしている。この技術によれば、誤った音声信号を合成する心配がなく、確実な操作を実現することができる。
【特許文献１】特開２００２−２９０３６０号公報
【発明の開示】
【発明が解決しようとする課題】
【０００５】
ところで、図３に示した従来の音声調整卓１において、入力素材を選択するためのコントローラ３はホスト端末のアプリケーションソフト等によって実現されている。すなわち、コントローラ３を組み込んだホスト端末は、音声調整卓１上のフェーダ５とは離れた場所に配置されていることが多い。
【０００６】
そのため、フェーダ５にて音量調整を行うオペレータが、コントローラ３によって入力素材を選択する場合には、コントローラ３がある場所まで移動して、回線を確認しながら入力素材の選択を行うほかなく、選択ミスが起き易かった。入力素材の選択ミスを起こした場合に、この入力素材の音声プリレベルが大きいままだと、生放送等で緊急に回線を接続しなくてはならないケースで不用意な事故を招くおそれがあり、問題となっていた。
【０００７】
また、入力素材の選択ミスを起こさないとしても、コントローラ３を設置している場所と、フェーダ５とが離れていると、その間をオペレータは何度も往復しなくてはならない。その結果、セッティング作業に時間がかかっていた。特に、放送スタジオやホール等の大型の設備では、コントローラ３を設置している場所と、音声調整卓１上のフェーダ５との物理的な距離が大きいので、セッティング作業の時間が長くかかり、その改善が強く望まれていた。
【０００８】
本発明は、このような問題点を解消するために提案されたものであり、その目的は、オペレータが立ち上げたいチャンネルに、手元の操作のみで回線選択を行うことにより、優れた操作性を獲得すると共に、セッティング作業の効率化向上に寄与する音声入力切替装置を提供することにある。
【課題を解決するための手段】
【０００９】
上述の目的を達成すべく、請求項１の発明は、複数の音声素材を入力する入力マトリクスに接続され、前記入力マトリクスにおける入力素材を選択する音声入力切替装置において、音量を調整する音量調整モードと入力素材を選択する素材選択モードを切替えるモード切替部と、前記モード切替部が前記音量調整モードであるとき音量を調整するフェーダと、前記フェーダの位置を検出する位置検出部と、前記フェーダの移動した位置に応じて選択する前記入力素材を割り当てておき、前記モード切替部が前記素材選択モードであるとき、前記位置検出部にて検出した前記フェーダの位置に対応した前記入力素材を選択する素材判断処理部が設けられたことを特徴としている。
【００１０】
このような請求項１の発明では、音量調整用のフェーダを入力素材の選択を行うコントローラとして使用することができる。すなわち、モード切替部を素材選択モードとしてフェーダを移動させ、位置検出部がフェーダの位置を検出すると、素材判断処理部が位置検出部にて検出したフェーダの位置に対応した入力素材を選択する。したがって、オペレータは、フェーダを操作している場所から移動することなく、入力素材の選択操作を行うことが可能である。
【００１１】
請求項２の発明は、請求項１に記載の音声入力切替装置において、前記素材判断処理部にて選択された前記入力素材の名称を表示する入力素材表示部が設けられたことを特徴としたものである。
【００１２】
この請求項２の発明では、入力素材表示部が入力素材の名称を表示するので、オペレータは自分が選択した入力素材を即座に確認することができ、作業の確実性を高めることができる。
【００１３】
請求項３の発明は、請求項１又は２に記載の音声入力切替装置において、前記モード切替部が前記素材選択モードであるとき、前記素材判断処理部にて選択された前記入力素材に対応する位置まで前記フェーダを移動させる前記フェーダ駆動部が設けられたことを特徴としている。
【００１４】
以上の請求項３の発明では、モード切替部が素材選択モードになると、フェーダ駆動部が動作して、選択された入力素材に対応する位置までフェーダを移動させるので、オペレータは選択中の入力素材を容易に把握することができ、作業性が向上する。
【００１５】
請求項４の発明は、請求項１〜３のいずれか１項に音声入力切替装置において、前記素材判断処理部にて選択された前記入力素材の音量プリレベルを表示するプリレベルメータが設置されたことを特徴とする。
【００１６】
このような請求項４の発明では、プリレベルメータが素材判断処理部にて選択された入力素材の音量プリレベルを表示するので、回線の状態を確認しながら、入力素材の選択を実行することができ、生放送中に緊急に回線を接続する必要がある場合でも事故が起きる心配がない。
【００１７】
請求項５の発明は、請求項１〜４のいずれか１項に記載の音声入力切替装置において、前記モード切替部は、前記素材選択モードとなった後、一定時間経過すると、自動的に前記音量調整モードに戻るように構成されたことを特徴とするものである。
【００１８】
以上のような請求項５の発明では、素材選択モードとなったモード切替部は、一定時間経過後、自動的に音量調整モードに戻るので、仮に素材選択モードから音量調整モードへの切替えをし忘れたとしても、フェーダは通常の操作である音量調整を行う操作子となっている。このため、フェーダを不用意に操作したことで、間違って入力素材が選択されるおそれがなく、誤操作を防止することができる。
【００１９】
請求項６の発明は、請求項１〜５のいずれか１項に記載の音声入力切替装置において、前記入力素材を選択するためのコントローラが前記音声入力切替装置とは独立して設けられ、前記モード切替部によるモード切替時に、選択した入力素材を設定値として前記コントローラ側に送信する設定値送信手段が設けられたことを特徴とするものである。
【００２０】
以上のような請求項６の発明では、モード切替部によるモード切替時に、選択した入力素材の設定値を、設定値送信手段にて、音声入力切替装置とは独立しているコントローラ側に送信することができる。そのため、このコントローラにより入力素材を集中的に管理することが可能である。
【発明の効果】
【００２１】
本発明の音声入力切替装置によれば、音量調整用のフェーダに、入力素材の選択を行うコントローラとしての機能を持たせることによって、オペレータが立ち上げたいチャンネルに、手元の操作のみで簡単且つ確実に回線選択を行うことができ、優れた操作性の確保と、セッティング作業の効率化による作業時間の短縮化に寄与することが可能である。
【発明を実施するための最良の形態】
【００２２】
〔代表的な実施形態〕
以下、本発明を実施するための最良の形態（以下「実施形態」という）について、図１及び図２を参照して具体的に説明する。図１は本実施形態の構成を示すブロック図、図２は本実施形態の正面図である。なお、本実施形態は図３に示した従来技術と同じく、音声調整卓に適用されるものなので、図３に示した従来例と同一の部材に関しては同一符号を付して説明は省略する。
【００２３】
〔構成〕
図１に示すように、本実施形態に係る音声入力切替装置は、音声調整卓６に適用されるものである。音声調整卓６には図３に示した従来技術と同様、入力マトリクス２と、コントローラ３と、音声処理部４が設けられており、さらに、音量調整用のフェーダ７、選択された入力素材の音量プリレベルを表示するプリレベルメータ１５が配置されている。本実施形態では、音量調整用であるフェーダ７を入力素材選択用のコントローラとして使用するようにしたことに特徴がある。なお、プリレベルメータ１５の設置位置は、音声調整卓６のコンソールではフェーダ７上方である（図２参照）。
【００２４】
フェーダ７には、モード切替スイッチ８と入力素材表示部９が設けられている。モード切替スイッチ８はオペレータの操作によりモード切替信号を出力するスイッチである。入力素材表示部９は後述する素材判断処理部１３にて選択される入力素材の名称を表示する部分であり、液晶パネルやＬＥＤなどからなる。また、前記プリレベルメータ１５の下部にも入力素材表示部９が設けられている。
【００２５】
また、フェーダ７には入力素材を選択するための制御部１０が接続されている。制御部１０は、モード切替部１１、位置検出部１２、素材判断処理部１３、フェーダ駆動部１４、設定値送信部１６から構成されている。モード切替部１１は、フェーダ７側のモード切替スイッチ８から切替信号を受けて、フェーダ７の移動量にて音量を調整する音量調整モードと、フェーダ７の移動位置にて入力素材を選択する素材選択モードを切替える部分であり、音量調整モードであれば、フェーダ７の移動量に基づいてレベル制御信号を音声制御部４へと送るようになっている。また、モード切替部１１は、素材選択モードとなった場合に、一定時間経過後、自動的に音量調整モードに戻るようになっている。
【００２６】
位置検出部１２は、フェーダ７の位置を検出し、位置検出信号を素材判断処理部１３に送る部分である。素材判断処理部１３は、位置検出部１２からの位置検出信号を受け取り、モード切替部１１が素材選択モードであれば、フェーダ７の位置に対応して予め割り当てられた入力素材選択用の信号、つまり素材選択制御信号を入力マトリクス２へと送る部分である。
【００２７】
フィーダ駆動部１４は、モード切替スイッチ８がイネーブル状態となってモード切替部１１が素材選択モードをとるとき、選択中の入力素材に対応する移動位置までフェーダ７を移動させるものである。また、フィーダ駆動部１４は、モード切替部１１が音量調整モードをとるとき、音量調整を行っていた位置までフェーダ７を移動させるようになっている。
【００２８】
〔素材選択制御〕
以上の構成を有する本実施形態においては、次のようにして入力素材を選択することができる。まず、モード切替スイッチ８がイネーブル状態となり、モード切替部１１は素材選択モードをとって、フェーダ７は、フィーダ駆動部１４からの駆動力を受けて、現在選択している入力素材の場所に自動的に移動する。
【００２９】
そして、その場所からフェーダ７を移動させると、位置検出部１２がフェーダ７の移動位置を検出し、素材判断処理部１３は、位置検出部１２からの検出信号を受け取って、フェーダ７の位置に対応して予め割り当てられた素材選択制御信号を入力マトリクス２へと送る。これにより、入力マトリクス２は入力素材を選択する。このとき、フェーダ７及びプリレベルメータ１５に設けられた入力素材表示部９には、選択された入力素材の名称が表示される。
【００３０】
また、設定値送信部１６は、素材選択モードにて選択し、設定した入力素材を設定値として、音声調整卓６とは独立したコントローラ３に送信する部分である。なお、設定値送信部１６による設定値の送信タイミングは、モード切替部１１にて素材選択モードから音量調整モードを切替えるモード変更時である。
【００３１】
〔作用効果〕
以上述べたように、本実施形態では、音量調整用であるフェーダ７を入力素材選択用のコントローラとして使用することができる。しかも、フェーダ７の移動ストロークは通常、１００ｍｍ程度であり、フェーダ７の分解能は大きい。そのため、１つのフェーダ７で最大で２００ＣＨの入力素材を選択可能とすることも可能である。
【００３２】
つまり、音量調整用のフェーダ7にて、多数の入力素材を選択することができ、手元のフェーダ７操作のみで簡単且つ確実に回線選択を行うことが可能である。したがって、フェーダ７を操作して音量調整作業中のオペレータが、入力素材を選択する場合に、その場から移動して、わざわざ入力素材選択用のコントローラの設置場所まで移るといった手間が省ける。この結果、セッティングにかかる作業時間を短縮することができ、特に放送スタジオやホール等の大型設備において、大いに有効である。
【００３３】
また、本実施形態では、入力素材表示部９が入力素材の名称を表示するため、オペレータ自身が選択した入力素材を即座に確認できる。さらに、モード切替スイッチ８がイネーブル状態では、選択された入力素材に対応する位置までフェーダ７が自動的に移動するので、オペレータは選択中の入力素材を容易に把握可能である。すなわち、回線確認が容易であり、入力素材の選択ミスが起きる心配もない。これにより、操作信頼性が大きく向上した。なお、フィーダ７は、モード切替部１１が音量調整モードになると、音量調整を行っていた位置まで自動的に戻るので、どのようなレベルで音量調整を行っていたのかを、オペレータに知らせることができる。
【００３４】
また、素材選択モードとなったモード切替部１１は、一定時間が経過すると自動的に音量調整モードに戻る。したがって、仮に素材選択モードの状態であるにもかかわらず、オペレータが音量調整モードのつもりで操作してしまうといったことがなく、誤操作防止を図ることができる。さらに、本実施形態においては、プリレベルメータ１５が素材判断処理部１３にて選択された入力素材の音量プリレベルを表示するため、回線状態を確認しながら、入力素材を選択することができ、生放送中に緊急に回線をつなぐ場合でも事故が起きる心配がない。
【００３５】
しかも、本実施形態では、モード切替部１１にて素材選択モードから音量調整モードを切替える際に、素材選択モードにて選択した入力素材の設定値を、設定値送信部１６によって、音声調整卓６とは独立しているコントローラ３に送信可能である。このため、従来から利用されているコントローラ３により、選択した入力素材を集中的に管理することができる。
【００３６】
〔他の実施形態〕
なお、本発明は上記の実施形態に限定されるものではなく、フェーダによる選択可能な入力素材数は適宜選択可能である。また、モード切替スイッチ８付近にモード状態を示すための表示部を設けて、操作の確実性を更に高めることができる実施形態も包含する。
【図面の簡単な説明】
【００３７】
【図１】本発明に係る代表的な実施形態の構成を示すブロック図。
【図２】本実施形態の正面図。
【図３】従来の音声調整卓の構成を示すブロック図。
【符号の説明】
【００３８】
１、６…音声調整卓
２…入力マトリクス
３…コントローラ
４…音声処理部
５、７…フェーダ
８…モード切替スイッチ
９…入力素材表示部
１０…制御部
１１…モード切替部
１２…位置検出部
１３…素材判断処理部
１４…フィーダ駆動部
１５…プリレベルメータ
１６…設定値送信部
【図１】
2007259251.tif 000003
【図２】
2007259251.tif 000004
【図３】
2007259251.tif 000005